(57)【要約】      （修正有）【課題】資源廃棄量を削減することが可能であり且つ洗浄設備の不十分な環境・状況（アウトドア・災害現場等）において一度使用した後でも衛生上新品同様の状態で繰り返し使用することが可能であって、さらに、低コストで製造が可能であり、持ち歩きの邪魔にならないリユーザブル食器用具を提供する。【解決手段】リユーザブル食器用具は、食器用具（箸１００，皿，スプーン，椀）の形状に合わせて、食器用具の表面の少なくとも一部に切れ込み部２１０を有して取り外し可能なフィルム２００を密着被覆した構造を備える。フィルムは複数層で構成されているのが好ましい。【選択図】図１
0003197856.tif 000002
【実用新案登録請求の範囲】
【請求項１】
食物の飲食に用いる食器用具であって、前記食器用具の形状に合わせて、前記食器用具の表面の少なくとも一部を取り外し可能なフィルムを密着させて被覆した構造を備えることを特徴とするリユーザブル食器用具。
【請求項２】
前記フィルムは、前記食器用具を複数層に被覆することを特徴とする請求項１に記載のリユーザブル食器用具。
【請求項３】
前記フィルムは、前記食器用具の表面全体を被覆する構造を備えることを特徴とする請求項１または請求項２に記載のリユーザブル食器用具。
【請求項４】
前記フィルムは、熱による収縮を利用して前記食器用具を被覆することを特徴とする請求項１から請求項３のいずれか１項に記載のリユーザブル食器用具。
【請求項５】
前記フィルムは、ポリプロピレン、ポリエチレンテレフタラート、ポリスチレンのうちの少なくとも１種から成ることを特徴とする請求項１から請求項４のいずれか１項に記載のリユーザブル食器用具。
【請求項６】
前記フィルムは、一層の厚さが１μｍ〜５００μｍであることを特徴とする請求項１から請求項５のいずれか１項に記載のリユーザブル食器用具。
【請求項７】
前記フィルムは、前記食器用具からの取り外しを容易にする切れ込み部を有することを特徴とする請求項１から請求項６のいずれか１項に記載のリユーザブル食器用具。
【請求項８】
前記切れ込み部は、直線状、点状又はミシン目状のいずれかの形状であることを特徴とする請求項７に記載のリユーザブル食器用具。
【考案の詳細な説明】
【技術分野】
【０００１】
本考案は、食物を掬う、挟む、刺す、掴む等を行うことで飲食を可能とする箸やスプーンなど及び食物を載せる、盛る等を行う皿や椀などで例示される食器用具であるリユーザブル食器用具に関する。
【背景技術】
【０００２】
従来の使い捨て食器用具（箸、スプーン、皿など）は、紙またはプラスチック等で構成されており、一度使用後廃棄するため食器用具の使い捨てによって資源廃棄量が増大し、環境の破壊につながる恐れがある。一方で、繰り返し使用が可能である携帯用箸・フォーク兼用スプーンセットが知られている（例えば、特許文献１）。
【先行技術文献】
【特許文献】
【０００３】
【特許文献１】特開２０１０−９４４７５号公報
【考案の概要】
【考案が解決しようとする課題】
【０００４】
特許文献１に開示されるような従来の携帯用食器用具は、例えば、省資源化に貢献され得る。しかしながら、洗浄設備の不十分な環境、状況（アウトドア、災害現場等）においては、一度使うと再度使用できない又は再度使用できても不衛生であるという問題がある。不衛生な状態で従来の携帯用食器用具を使用し続けると、身体への病原菌混入の一原因とも成り得る危険がある。さらに、従来の携帯用食器用具は、構造が複雑であるため、製造時のコストが高い、多くの付属品を要するため持ち歩きには邪魔になるといった問題がある。
【０００５】
本考案の目的は、従来の使い捨て食器用具に比べて資源廃棄量を削減することが可能であり且つ洗浄設備の不十分な環境・状況（アウトドア・災害現場等）において一度使用した後でも衛生上新品同様の状態で繰り返し使用することが可能であって、さらに、低コストで製造が可能であり、持ち歩きの邪魔にならないリユーザブル食器用具を提供することにある。
【課題を解決するための手段】
【０００６】
上記課題を解決するため、本考案のリユーザブル食器用具は、食物の飲食に用いる食器用具であって、前記食器用具の形状に合わせて、前記食器用具の表面の少なくとも一部を取り外し可能なフィルムを密着させて被覆した構造を備えることを特徴とする。
【考案の効果】
【０００７】
本考案によれば、従来の使い捨て食器用具に比べて資源廃棄量を削減することが可能であり且つ洗浄設備の不十分な環境・状況（アウトドア・災害現場等）において一度使用した後でも衛生上新品同様の状態で繰り返し使用することが可能であって、さらに、低コストで製造が可能であり、持ち歩きの邪魔にならないリユーザブル食器用具を提供することができる。
【図面の簡単な説明】
【０００８】
【図１】本考案に係るリユーザブル食器用具の第１実施形態を説明する上面図である。
【図２】本考案に係るリユーザブル食器用具の第１実施形態を説明する断面図である。
【図３】本考案に係るリユーザブル食器用具の第２実施形態を説明する上面斜視図である。
【図４】本考案に係るリユーザブル食器用具の第２実施形態を説明する断面図である。
【図５】本考案に係るリユーザブル食器用具の第３実施形態を説明する上面斜視図である。
【図６】本考案に係るリユーザブル食器用具の第３実施形態を説明する断面図である。
【図７】本考案に係るリユーザブル食器用具の第４実施形態を説明する上面斜視図である。
【図８】本考案に係るリユーザブル食器用具の第４実施形態を説明する断面図である。
【考案を実施するための形態】
【０００９】
（第１実施形態）
まず、図１及び図２を参照して、本考案に係るリユーザブル食器用具の第１実施形態について説明する。
【００１０】
図１は、本考案に係るリユーザブル食器用具１０の第１実施形態を説明する上面図である。図１に示すように、本実施形態のリユーザブル食器用具１０は、食物を挟む、刺す、掴む等行うことで飲食を可能とする食器用具の一例である箸１００の表面を、箸１００の形状に合わせてフィルム２００を密着させて被覆した構造を有している。図１は、フィルム２００が箸１００の表面全体に装着されている例を示している。なお、箸は通常２本一組（一膳）で使用されるが図１では一膳の箸のうちの１本を箸１００として図示している。また、図１ではフィルム２００と箸１００との間に隙間があるように図示されているが、実際は箸１００にフィルム２００が密着するため、図１で図示するような隙間は生じない。または、隙間が生じるとしてもごくわずかであり、視認できない程度である。後述する図３、図５及び図７におけるフィルム２００とフィルム２００が装着される食器用具との間の隙間についても同様である。
【００１１】
詳しくは後述するが、本実施形態のリユーザブル食器用具１０は、箸１００にフィルム２００を複数層装着させることによって再利用性を有しているため、繰り返し使用することが可能になっている。使用者は、複数層装着されたフィルム２００を、リユーザブル食器用具１０を使用する際または使用後に１層ずつ取り外す。
図１に示すように、フィルム２００はミシン目状の切れ込み部２１０を有する。フィルム２００は、使用者が切れ込み部２１０から剥がし始めることで、フィルム２００全体をリユーザブル食器用具１０から１枚（一層）ずつ剥がし取り易い構造になっている。切れ込み部２１０は、使用者がフィルム２００を剥がし取り易い構造であれば、ミシン目状に限られず、例えば、点状でもよいし、直線状の切れ込みとなっていてもよい。また、図１では、切れ込み部２１０はフィルム２００上において箸１００の箸頭側に設けられているが、これに限られず、箸１００の箸先側等のフィルム２００上の任意の位置に設けられてもよい。
【００１２】
ここで、フィルム２００について説明する。フィルム２００は、熱収縮フィルムであり、通常の飲食を行う条件下において、熱的、化学的、物理的安定性に優れる素材で構成される。フィルム２００の素材として、具体的には、延伸ポリプロピレン（Ｏｒｉｅｎｔｅｄ  Ｐｏｌｙｐｒｏｐｙｌｅｎｅ）、ポリエチレンテレフタラート（Ｐｏｌｙｅｔｈｙｌｅｎｅ  ｔｅｒｅｐｈｔｈａｌａｔｅ）、ポリスチレン（Ｐｏｌｙｓｔｙｒｅｎｅ）等が挙げられる。これらの素材のうち少なくとも１種を用いたフィルム２００は、被覆する食器用具（本実施形態では箸１００）の形状を出来得る限り保つために、１枚あたりの厚さが１μｍ〜５００μｍであることが望ましい。また、食事時の使い易さ（食物の扱い易さ、フィルム２００の剥がし易さ等）を考慮すれば、フィルム２００の１枚あたりの厚さは、１μm〜１００μmが好適である。
【００１３】
図２は、図１に示す線分ＡＡで切断した本実施形態によるリユーザブル食器用具１０の断面を模式的に示す図である。図２では箸１００に装着されてリユーザブル食器用具１０を構成する複数層（図２では、３層）のフィルム２００を、最内層から順にフィルム２０１，フィルム２０２，フィルム２０３（以降、「フィルム２０１〜フィルム２０３」と記載する場合がある）として図示している。図２では図示していないがフィルム２０１〜フィルム２０３のそれぞれは、図１に示すフィルム２００と同様に切れ込み部２１０を有している。熱収縮フィルムであるフィルム２０１〜フィルム２０３のそれぞれは、例えば、順次箸１００に密着させて加熱することで、箸１００に複数層被覆される。
なお、図２では、フィルム２０１〜フィルム２０３のそれぞれの間及びフィルム２０１と箸１００の間に隙間が生じているが、実際はフィルム２０１〜フィルム２０３のそれぞれ及びフィルム２０１と箸１００とは互いに密着しており、フィルム２０１〜フィルム２０３のそれぞれ及びフィルム２０１と箸１００との間に視認可能な隙間は存在しない。後述する図４及び図６においても同様に、フィルム２０１〜フィルム２０３のそれぞれ及びフィルム２０１〜フィルム２０３が装着される食器用具との間に視認可能な隙間は存在しない。
【００１４】
図２では、３層のフィルム２００（フィルム２０１〜フィルム２０３）が箸１００を被覆してリユーザブル食器用具１０を構成する例を示しているが、これに限られない。繰り返し利用が可能であるという点を考慮すれば、リユーザブル食器用具１０は、Ｎ層（Ｎは２以上の自然数）のフィルム２００に被覆されていればよい。ただし、フィルム２００の剥がし易さや食事時におけるリユーザブル食器用具１０の使い易さを考慮し、フィルム２００の層の数は最大で１０層までとすることが望ましい。すなわち、箸１００に例示される食器用具に対するフィルム２００の被覆回数は１０回までとすることが望ましい。
【００１５】
ここで、本実施形態のリユーザブル食器用具１０の使用方法の一例を説明する。リユーザブル食器用具１０は、販売時には、複数層のフィルム２００の最外層（図２ではフィルム２０３）が包装材と同様の役割を果たすことを想定している。このため、使用者は、初めてリユーザブル食器用具１０を使用する際は、まず最外層のフィルム２０３を剥がして使用する。初回の使用が終わると、使用者はフィルム２０２を剥がしておき、フィルム２０１が最外層となったリユーザブル食器用具１０を次の食事に用いる。リユーザブル食器用具１０の２回目の使用後に使用者がフィルム２０１を剥がすと、リユーザブル食器用具１０からは全てのフィルムが剥がし取られる。したがって、リユーザブル食器用具１０の３回目の使用時には、箸１００を直接使用することになる。
【００１６】
フィルム２００が複数層装着される箸１００を含む本考案のリユーザブル食器用具において、フィルム２００の装着対象となる食器用具（以降、「フィルム装着対象食器用具」と称する場合がある）は、製造コストの削減や自然環境に配慮して、例えばリサイクル資源等の安価な素材で製造されることが想定されるため、家庭や飲食店等で常用される食器用具よりは耐久性が低くなっている。ただし、フィルム装着対象食器用具は、装着されたフィルム２００すべてが剥がし取られた後も、最低１回は利用可能である。後述する図３から図８を用いて説明するリユーザブル食器用具３０，５０，７０におけるフィルム装着対象食器用具も同様である。この使用例においては、３層のフィルム２００が箸１００に装着されている構成の本実施形態によるリユーザブル食器用具１０は、少なくとも３回使用することが可能である。すなわち、Ｎ層のフィルム２００が食器用具に装着されている構成のリユーザブル食器用具１０は、最小でＮ回利用できることになる。
【００１７】
この使用方法は一例であって、例えば、本実施形態のリユーザブル食器用具１０が販売時に２本一組（一膳）にまとめられて何らかのパッケージやビニール袋等によって包装される場合もありうる。この場合、初回利用時において、複数層のうちの最外層のフィルム２００を剥がさずに使用できるので、最小の利用回数は１回増えてＮ＋１回となる。ただし、リユーザブル食器用具１０の保存状態等に応じた衛生状態等によっては、初回使用時及び毎回の使用後以外に、毎回の使用前にもリユーザブル食器用具１０を被覆するフィルムを剥がすことが必要となる場合もある。このため、リユーザブル食器用具１０の利用可能な最少回数は、必ずしもＮ回又はＮ＋１回ではない。
【００１８】
（第１実施形態の変形例）
以上、図１及び図２を用いて、本実施形態のリユーザブル食器用具１０として、複数層のフィルム２００（フィルム２０１〜フィルム２０３）が箸１００の表面全体を被覆している例を示したが、リユーザブル食器用具１０の形態はこれに限られない。リユーザブル食器用具１０は、箸１００の表面においてフィルム２００が被覆する範囲を減らすことで、リユーザブル食器用具１０の製造に用いるフィルム２００の量を減らすため、フィルム２００の装着範囲を箸１００が食物及び使用者の口に接する部分に限定してもよい。すなわち、リユーザブル食器用具１０は、箸１００の表面の少なくとも一部を、取り外し可能なフィルム２００を密着させて被覆した構造であってもよい。これにより、リユーザブル食器用具１０の製造時のコスト削減を図ることやリユーザブル食器用具１０の握り易さを通常の箸の状態と同等にして食事時におけるリユーザブル食器用具１０の使い易さを向上させることが可能となる。
【００１９】
箸１００の食物及び使用者の口に接する部分は、例えば図１及び図２に示す箸１００の表面の一部の外周囲である接触部１１０である。本実施形態のリユーザブル食器用具１０において、フィルム２００の装着範囲を接触部１１０とする場合、フィルム２００が箸１００から使用者の意図に反して外れてしまうのを防止するため、箸１００における接触部１１０の任意の位置に不図示のフィルム係止部を設ける。フィルム係止部は、フィルム２００が箸１００から使用者の意図に反して外れるのを防止する形態であればどのような形態でもよい。フィルム係止部の一例としては、箸１００に設けられた凸部であって複数層のフィルム２００を引っ掛けてフィルム２００が箸１００から使用者の意図に反して外れるのを防止する形態がある。
【００２０】
（第２実施形態）
次に、図３及び４を参照して、本考案に係るリユーザブル食器用具の第２実施形態について説明する。リユーザブル食器用具３０は、フィルム装着対象食器用具が皿である点で第１実施形態によるリユーザブル食器用具１０と異なる。なお、第１実施形態と同一又は同等の構成については、図面に同一の符号を付して、説明は省略あるいは簡略化する場合がある。
【００２１】
図３に示すように、本実施形態のリユーザブル食器用具３０は、食物を載せる、盛る等を行うことで飲食を可能とする食器用具の一例である皿３００の表面を、皿３００の形状に合わせてフィルム２００を密着させて被覆した構造を有している。図３は、フィルム２００が、フィルム装着対象食器用具の一例である皿３００の表面全体に装着されている例を示している。
【００２２】
第１実施形態のリユーザブル食器用具１０と同様に、本実施形態のリユーザブル食器用具３０は、皿３００にフィルム２００を複数層装着させることによって、繰り返し使用すること、すなわち再利用が可能になっている。図３に示すように、フィルム２００はミシン目状の切れ込み部２１０を有する。フィルム２００及び切れ込み部２１０の構成及び作用効果については、上記第１実施形態と同様である。なお、図３に示すように、リユーザブル食器用具３０を被覆するフィルム２００の切れ込み部２１０は、フィルム２００上において皿３００の上面の縁部分と対応する部分から皿３００の底面に向かうように設けられているが、これに限られず、フィルム２００上の任意の位置に設けられてもよい。
【００２３】
図４は、図３に示す線分ＢＢで切断した本実施形態のリユーザブル食器用具３０の断面を模式的に示す図である。図４では、皿３００に装着されて本実施形態によるリユーザブル食器用具３０を構成する３層のフィルム２００を、図２と同様に最内層から順にフィルム２０１，フィルム２０２，フィルム２０３として図示している。
【００２４】
本実施形態におけるフィルム装着対象食器用具である皿３００は、図４に示すように上表面（皿３００の後述する接触部３１０ａ）が浅い凹形状に形成されている。このため、複数層のフィルム２００で皿３００を被覆するときには、例えばフィルム２０１〜フィルム２０３のそれぞれを皿３００の上表面の浅い凹形状に沿うように上から押圧しながら、順次皿３００に密着させて加熱する。
その他の構成、作用効果について、上記第１実施形態と同様である。
【００２５】
（第２実施形態の変形例）
以上、図３及び図４を用いて、本実施形態によるリユーザブル食器用具３０として、複数層のフィルム２００（フィルム２０１〜フィルム２０３）が皿３００の表面全体を被覆している例を示したが、リユーザブル食器用具３０の形態はこれに限られない。リユーザブル食器用具３０は、上記第１実施形態の変形例で説明したのと同様にフィルム２００の装着範囲をフィルム装着対象食器用具（本実施形態では、皿３００）が食物及び使用者の口に接する部分に限定してもよい。すなわち、リユーザブル食器用具３０は、皿３００の表面の少なくとも一部を、取り外し可能なフィルム２００を密着させて被覆した構造であってもよい。
【００２６】
皿３００の食物及び使用者の口に接する部分は、例えば図４に示す皿３００の上表面である接触部３１０ａ及び皿３００の上面の縁部分に沿った外周囲である接触部３１０ｂである。本実施形態のリユーザブル食器用具３０において、フィルム２００の装着範囲を接触部３１０ａ，３１０ｂとする場合、例えば、皿３００における接触部３１０ｂの任意の位置に不図示のフィルム係止部を設けてもよい。フィルム係止部は、フィルム２００が皿３００から抜けるのを防止する形態であればどのような形態でもよい。フィルム係止部の一例としては、皿３００に設けられた凹凸部であって、この凹凸部の形状に沿って被覆された複数層のフィルム２００を引っ掛けて、複数層のフィルム２００が皿３００から使用者の意図に反して外れるのを防止する形態がある。
【００２７】
（第３実施形態）
次に、図５及び６を参照して、本考案に係るリユーザブル食器用具の第３実施形態について説明する。リユーザブル食器用具５０は、フィルム装着対象食器用具がスプーンである点で第１実施形態によるリユーザブル食器用具１０と異なる。なお、第１実施形態と同一又は同等の構成については、図面に同一の符号を付して、説明は省略あるいは簡略化する場合がある。
【００２８】
図５に示すように、本実施形態のリユーザブル食器用具５０は、食物を掬う等を行うことで飲食を可能とする食器用具の一例であるスプーン５００の表面を、スプーン５００の形状に合わせてフィルム２００を密着させて被覆した構造を有している。図５は、フィルム２００が、フィルム装着対象食器用具の一例であるスプーン５００の表面全体に装着されている例を示している。
【００２９】
第１実施形態のリユーザブル食器用具１０と同様に、本実施形態のリユーザブル食器用具５０は、スプーン５００にフィルム２００を複数層装着させることによって、繰り返し使用すること、すなわち再利用が可能になっている。図５に示すように、フィルム２００はミシン目状の切れ込み部２１０を有する。フィルム２００及び切れ込み部２１０の構成及び作用効果については、上記第１実施形態と同様である。なお、図５に示すように、リユーザブル食器用具５０を被覆するフィルム２００の切れ込み部２１０は、フィルム２００上においてスプーン５００の柄の上面の上端部分に対応する部分から食物を載せる皿状部分に向かうように設けられているが、これに限られず、フィルム２００上の任意の位置に設けられてもよい。
【００３０】
図６は、図５に示す線分ＣＣで切断した本実施形態のリユーザブル食器用具５０の断面を模式的に示す図である。図６では、スプーン５００に装着されて本実施形態によるリユーザブル食器用具５０を構成する３層のフィルム２００を、図２と同様に最内層から順にフィルム２０１，フィルム２０２，フィルム２０３として図示している。
【００３１】
本実施形態におけるフィルム装着対象食器用具であるスプーン５００の皿状部分は、図６に示すように浅い凹形状に形成されている。このため、複数層のフィルム２００でスプーン５００を被覆するときには、例えば上記第２実施形態で説明したのと同様に、皿状部分については浅い凹形状に沿うようにフィルム２０１〜フィルム２０３のそれぞれを順次皿３００に密着させて加熱する。
その他の構成、作用効果について、上記第１実施形態と同様である。
【００３２】
（第３実施形態の変形例）
以上、図５及び図６を用いて、本実施形態によるリユーザブル食器用具５０として、複数層のフィルム２００（フィルム２０１〜フィルム２０３）がスプーン５００の表面全体を被覆している例を示したが、リユーザブル食器用具５０の構成はこれに限られない。リユーザブル食器用具５０は、上記第１実施形態の変形例で説明したのと同様にフィルム２００の装着範囲をフィルム装着対象食器用具（本実施形態では、スプーン５００）が食物及び使用者の口に接する部分に限定してもよい。すなわち、リユーザブル食器用具５０は、スプーン５００の表面の少なくとも一部を、取り外し可能なフィルム２００を密着させて被覆した構造であってもよい。
【００３３】
スプーン５００の食物及び使用者の口に接する部分は、例えば図６に示すスプーン５００の皿状部分と柄の一部の外周囲である接触部５１０である。リユーザブル食器用具５０において、フィルム２００の装着範囲を接触部５１０とする場合、フィルム２００はスプーン５００の皿状部分と柄の境目で自然と係止されるため、上記第１実施形態の変形例で説明したような係止部を設ける必要はない。
【００３４】
（第４実施形態）
次に、図７及び８を参照して、本考案に係るリユーザブル食器用具の第４実施形態について説明する。リユーザブル食器用具７０は、フィルム装着対象食器用具が椀である点で第１実施形態によるリユーザブル食器用具１０と異なる。なお、第１実施形態と同一又は同等の構成については、図面に同一の符号を付して、説明は省略あるいは簡略化する場合がある。
【００３５】
図７に示すように、本実施形態のリユーザブル食器用具７０は、食物を載せる、盛る等を行うことで飲食を可能とする食器用具の一例である椀７００の表面を、椀７００の形状に合わせてフィルム２００を密着させて被覆した構造を有している。図７は、フィルム２００が、フィルム装着対象食器用具の一例である椀７００の表面全体に装着されている例を示している。
【００３６】
第１実施形態のリユーザブル食器用具１０と同様に、本実施形態のリユーザブル食器用具７０は、椀７００にフィルム２００を複数層装着させることによって、繰り返し使用すること、すなわち再利用が可能になっている。図７に示すように、フィルム２００はミシン目状の切れ込み部２１０を有する。フィルム２００及び切れ込み部２１０の構成及び作用効果については、上記第１実施形態と同様である。なお、図７に示すように、リユーザブル食器用具７０を被覆するフィルム２００の切れ込み部２１０は、フィルム２００上において椀７００の上面の縁部分と対応する部分から椀７００側面の底部に向かうように設けられているが、これに限られず、フィルム２００上の任意の位置に設けられてもよい。
【００３７】
図８は、図７に示す線分ＤＤで切断した本実施形態のリユーザブル食器用具７０の断面を模式的に示す図である。図８では、椀７００に装着されて本実施形態によるリユーザブル食器用具７０を構成する３層のフィルム２００を、図２と同様に最内層から順にフィルム２０１，フィルム２０２，フィルム２０３として図示している。
【００３８】
本実施形態におけるフィルム装着対象食器用具である椀７００の上表面（椀７００の後述する接触部７１０ａ）は、図８に示すように凹形状に形成されている。このため、複数層のフィルム２００で椀７００を被覆するときには、例えば上記第２実施形態で説明したのと同様に、椀７００の上表面の凹形状に沿うようにフィルム２０１〜フィルム２０３のそれぞれを順次椀７００に密着させて加熱する。
その他の構成、作用効果について、上記第１実施形態と同様である。
【００３９】
（第４実施形態の変形例）
以上、図７及び図８を用いて、本実施形態によるリユーザブル食器用具７０として、複数層のフィルム２００（フィルム２０１〜フィルム２０３）が椀７００の表面全体を被覆している例を示したが、リユーザブル食器用具７０の形態はこれに限られない。リユーザブル食器用具７０は、上記第１実施形態の変形例で説明したのと同様にフィルム２００の装着範囲をフィルム装着対象食器用具（本実施形態では、椀７００）が食物及び使用者の口に接する部分に限定してもよい。すなわち、リユーザブル食器用具７０は、椀７００の表面の少なくとも一部を、取り外し可能なフィルム２００を密着させて被覆した構造であってもよい。
【００４０】
椀７００の食物及び使用者の口に接する部分は、例えば図８に示す椀７００の上表面である接触部７１０ａ及び椀７００の上面の縁部分に沿った外周囲である接触部７１０ｂである。また、例えば、椀７００における接触部７１０ｂの任意の位置に、上記第２実施形態で説明した形態と同様の不図示のフィルム係止部を設けてもよい。
【００４１】
以上、上記実施形態及び変形例で説明したように、本考案のリユーザブルリユーザブル食器用具１０，３０，５０，７０は、食物の飲食に用いる食器用具（箸１００、皿３００、スプーン５００及び椀７００として例示したフィルム装着対象食器用具）の形状に合わせて、食器用具の表面の少なくとも一部（接触部１１０，３１０ａ及び３１０ｂ，５１０，７１０ａ及び７１０ｂ）を取り外し可能なフィルム２００を密着させて被覆した構造を備えている。
これにより、本考案のリユーザブル食器用具は再利用性を有するため、洗浄設備の不十分な環境・状況（アウトドア・災害現場等）において一度使用した後でも洗浄することなくフィルムを剥がすことで衛生上新品同様の状態で使用することができる。
【００４２】
また、本考案のリユーザブル食器用具において、フィルム２００は食器用具を複数層に被覆する。
これにより、本考案のリユーザブル食器用具の使用時には、食物や使用者の口は使用時における最外層のフィルム２００に触れるのみで、それ以外の内層のフィルム２００やフィルム装着対象食器用具には触れない。これにより、食器用具を被覆するフィルム２００の層の数に応じて、衛生上新品同様の状態で本考案のリユーザブル食器用具を繰り返し利用することが可能となっている。また、本考案のリユーザブル食器用具は、複数回の利用が可能であることで食器用具本体を使用毎に捨てる必要が無くなるので、従来の使い捨て食器用具に比べ、資源廃棄量を削減することができる。また、本考案のリユーザブル食器用具を複数層に被覆するフィルム２００の最外層が包装材と同様の役割を果たしうるので、従来の包装材付き食器用具に比べ、製造時における包装工程および包装材の資源量を削減することができる。さらに、本考案のリユーザブル食器用具は、複雑な構造や付属品は有していないため、軽量であり持ち歩きの邪魔にならない。
【００４３】
また、本考案のリユーザブル食器用具は、フィルム２００が食器用具の表面全体を被覆する構造でもよい。これにより、再利用時の衛生状態をさらに向上させることができる。
また、本考案のリユーザブル食器用具において、フィルムは、熱による収縮を利用して食器用具を被覆するようになっていてもよい。これにより、本考案のリユーザブル食器用具が簡易に製造できる。
【００４４】
また、本考案のリユーザブル食器用具は、フィルム２００が、ポリプロピレン、ポリエチレンテレフタラート、ポリスチレンのうちの少なくとも１種から成るようにしてもよい。これにより、リユーザブル食器用具の製造コストを低コスト化できる。
また、本考案のリユーザブル食器用具は、一層のフィルム２００の厚さが１μｍ〜５００μｍであることが望ましい。本考案のリユーザブル食器用具は、このように非常に薄いフィルムによって食器用具を被覆することにより、複数層被覆しても、食器用具が持ちにくくなる等使用感が損なわれる可能性を低減できる。
【００４５】
本考案のリユーザブル食器用具において、フィルム２００は、食器用具からの取り外しを容易にする切れ込み部２１０を有している。また、本考案のリユーザブル食器用具において、切れ込み部２１０は、直線状、点状又はミシン目状のいずれかの形状であればよい。これにより、本考案のリユーザブル食器用具の使用時において、使用者が容易にフィルム２００を１枚ずつ剥がし取ることが可能となる。
また、上記の実施形態では、フィルム装着対象食器用具として箸、皿、スプーン及び椀を例示したが、これに限られず、本考案は、フィルム２００で被覆可能であれば、どのような食器用具に適用してもよい。
【００４６】
なお、上記の実施形態及び変形例は、本考案の技術的思想を具体化するための構造を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００４７】
１０，３０，５０，７０  リユーザブル食器用具
１００  箸
１１０，３１０ａ，３１０ｂ，５１０，７１０ａ，７１０ｂ  接触部
２００，２０１，２０２，２０３  フィルム
２１０  切れ込み部
３００  皿
５００  スプーン
７００  椀
【図１】
0003197856.tif 000003
【図２】
0003197856.tif 000004
【図３】
0003197856.tif 000005
【図４】
0003197856.tif 000006
【図５】
0003197856.tif 000007
【図６】
0003197856.tif 000008
【図７】
0003197856.tif 000009
【図８】
0003197856.tif 000010